(57)【要約】【課題】運動中に握りこぶしをつくっても違和感や圧迫感がほとんどなく、長時間装着しても疲れないスポーツ用手袋を提供することを目的とする。【解決手段】手先全体を入れる単一の袋部と、手首を入れる口部とを有することを特徴とし、袋部は、通気性を有する伸縮性部材により球状に形成されたものであって、該袋部に入れた手先全体でパーを作ったときは伸張し、グーを作ったときは収縮して該手先全体に密着する。そして、口部は、伸縮性部材により筒状に形成されたものであって、該口部の開口を拡大して上記袋部に手先全体を入れ、該袋部に該手先全体が入ったとき、該口部の開口が縮小して手首に固定される。【選択図】図１
2008214808.tif 000002
【特許請求の範囲】
【請求項１】
手先全体を入れる単一の袋部と、手首を入れる口部とを有することを特徴とするスポーツ用手袋。
【請求項２】
前記袋部は、通気性を有する伸縮性部材により球状に形成されたものであって、該袋部に入れた手先全体でパーを作ったときは伸張し、グーを作ったときは収縮して該手先全体に密着することを特徴とする請求項１記載のスポーツ用手袋。
【請求項３】
前記口部は、伸縮性部材により筒状に形成されたものであって、該口部の開口を拡大して前記袋部に手先全体を入れ、該袋部に該手先全体が入ったとき、該口部の開口が縮小して手首に固定されることを特徴とする請求項２記載のスポーツ用手袋。
【請求項４】
前記口部は、前記袋部と一体に形成され、該口部の開口端縁から該袋部の中央に向けて切込部分を有し、該切込部分の一方の切片に、他方の切片と係合する舌片が延設されたものであることを特徴とする請求項２記載のスポーツ用手袋。
【請求項５】
前記口部は、前記他方の切片及び前記舌片双方に面ファスナが貼着されたものであって、該面ファスナ相互が係合することにより手首に固定されることを特徴とする請求項４記載のスポーツ用手袋。
【発明の詳細な説明】
【技術分野】
【０００１】
本発明は、スポーツの際に使用するスポーツ用手袋に関し、特にマラソン、駅伝、ジョギング、競歩など運動中に握りこぶしを作ることが多いスポーツに使用するスポーツ用手袋に関する。
【背景技術】
【０００２】
スポーツを行う際には手の保温や保護のため手袋を着用することが多いが、柔軟性があって手へのフィット感がよいことなどから、羊・馬・鹿などの天然皮革や人工皮革を素材として用いるのが一般的である。
しかしながら、長時間運動する場合や夏場などには発汗が激しいので、汗で手袋内部が濡れることや、手が蒸れることを防止するため、指袋や手甲部に通気孔を設けているが、必ずしも十分ではない。
そこで、通気性、透湿性を有し、蒸れ感の少ない人工皮革に関する技術（特許文献１参照）、手首を締め付ける係合部にも通気孔を設ける技術（特許文献２参照）、あるいは風合いの劣化防止を図るために用いる撥水剤で通気性が悪化するのを防止する技術（特許文献３参照）、さらには手の平部分を人工皮革又は天然皮革で形成し、汗をかきやすい手の甲部分は繊維を組み合わせて通気性をよくする技術（特許文献４参照）などが提案されている。
また、保温材を用い保温効果の高いミトン型の手袋においては、保温効果を更に高めるために手の甲側に発熱体を入れると手が蒸れたり、汗によって不快感を生じることがあるため、手の平側に複数の貫通孔を設ける技術（特許文献５参照）などが提案されている。
【特許文献１】特許第３１１７９９６号
【特許文献２】特開２００４−９７５１０号
【特許文献３】特開２００４−６００５９号
【特許文献４】特開平１１−２９０４９７号
【特許文献５】特開平９−１５７９１８号
【発明の開示】
【発明が解決しようとする課題】
【０００３】
しかしながら、マラソン、駅伝、ジョギング、競歩など運動中に握りこぶしを作ることが多いスポーツに使用するスポーツ用手袋を着用した状態では手作業を行うことはほとんど考えられず、せいぜいボトルなどを掴む程度であるから、必ずしも指袋は必要ではない。逆に、５本の指袋があるグローブ型手袋や保温材を用いたミトン型手袋では、握りこぶしを作ったときに、指の関節や手の甲などに圧迫感や違和感があるため、長時間握っていると疲労するという問題がある。また、保温効果についても、手が冷えることによる疲労が蓄積されることさえ防止できれば、発汗による手の蒸れを長時間にわたり回避できることの方が望ましい。
本発明は、上記事情に鑑み、運動中に握りこぶしをつくっても違和感や圧迫感がほとんどなく、長時間装着しても疲れないスポーツ用手袋を提供することを目的とする。
【課題を解決するための手段】
【０００４】
本発明のスポーツ用手袋は、手先全体を入れる単一の袋部と、手首を入れる口部とを有することを特徴とする。
このように、手先全体を単一の袋部に入れるようにすれば、違和感や圧迫感がない状態で握りこぶしを作ることができる。
ここで、上記袋部は、通気性を有する伸縮性部材により球状に形成されたものであって、該袋部に入れた手先全体でパーを作ったときは伸張し、グーを作ったときは収縮して該手先全体に密着することが好ましい。
このように、通気性を有する伸縮性部材により袋部を球状に形成すれば、単一の袋部の中でパーを作ったときは伸張し、グーを作ったときは収縮して手先全体に密着し、違和感や圧迫感がほとんどない状態で体温によって手先全体を速やかに温めることができる。
また、上記口部は、伸縮性部材により筒状に形成されたものであって、該口部の開口を拡大して上記袋部に手先全体を入れ、該袋部に該手先全体が入ったとき、該口部の開口が縮小して手首に固定されることも好ましい。
このように、口部が手首に密着し、固定されていれば、袋部が伸張したときも手袋が外れにくい。
【０００５】
また、上記口部は、上記袋部と一体に形成され、該口部の開口端縁から該袋部の中央に向けて切込部分を有し、該切込部分の一方の切片に、他方の切片と係合する舌片が延設されたものであることも好ましく、更に上記口部は、上記他方の切片及び上記舌片双方に面ファスナが貼着されたものであって、該面ファスナ相互が係合することにより手首に固定されることも好ましい。
このように、口部に切込部分があれば手先全体を袋部に容易に入れることができるうえ、その切込部分を面ファスナなどで係合して手首に固定してあれば、袋部が伸張したときに手袋が外れにくい。
【発明の効果】
【０００６】
本発明のスポーツ用手袋によれば、通気性のある伸縮自在な弾性部材により、手先全体を入れる単一の袋部が形成されており、その袋部内で自由にグーやパーを作ることができる。したがって、運動中に握りこぶしをつくっても違和感や圧迫感がなく、長時間装着しても疲れない。また、手先全体の体温により速やかに温められるので手先の冷えが防止できるうえ、発汗しても速やかに蒸発し、長時間使用しても不快感がない。
【発明を実施するための最良の形態】
【０００７】
以下に、本発明のスポーツ用手袋の実施形態について説明する。
［第１の実施形態］
図１は、本発明が適用された第１の実施形態のスポーツ用手袋を示す図である。
図１に示すスポーツ用手袋１は、手先全体を入れる単一の袋部１０と、手首を入れる口部２０とを有する。袋部１０は、指袋のない単一の袋からなり、その袋部１０は、伸縮自在で通気性のあるメッシュ状の繊維により、風船の如き球状に形成されている。また、口部２０は、伸縮自在で通気性のあるメッシュ状の繊維により、筒状に形成されている。
ここで、本実施形態の袋部１０は、例えば低粘度ポリマー又は複合紡糸による高伸縮性繊維、ラテックス、ポリウレタン弾性繊維などの伸縮性繊維、あるいはそれら伸縮性繊維を含む糸を表糸、伸縮性繊維を含まない糸（例えば合成繊維など）を裏糸として不織繊維層（例えばポリエステル、ナイロン、ポリプロピレン、ビニロン、綿、ポリアミド、ポリエチレンなど）が挟持されたもの、若しくは伸縮性繊維と綿織物などが２層構造になったものなどを素材として用い、円型編機によりシームレスに形成してもよいし、あるいは袋部１０を構成する素材の不織繊維層に含有される熱融着繊維（例えばポリエステル、ポリアミド、ポリエチレンなど）により、袋部１０の周縁１５をヒートシールすることにより形成することができるが、これに限定されない。
また、本実施形態の口部２０は、例えば袋部１０の入口部分１１を筒状に長く形成しておき、その入口部分１１を二重乃至三重に折り畳むことにより形成してもよいし、袋部１０に用いる上記素材のうち、袋部１０よりも弾力性の強い素材で筒状に形成したものを袋部１０の入口部分１１にヒートシールすることにより形成してもよい。
このように、手先全体を、伸縮自在で通気性のあるメッシュ状の繊維などで形成された単一の袋部に入れるように構成すれば、違和感や圧迫感がほとんどない状態で、握りこぶしを作ったり、手先を開いたりすることができる。また中に入れた手先の動きに合わせて袋部１０が伸縮し、手先全体に密着するように構成すれば、手先全体が体温で速やかに温められる一方、手先に生じた汗を速やかに蒸発させることができる。また口部２０は、袋部１０よりも弾力性の強い部材で構成すれば、手首に密着し、袋部１０に張力が加わっても、手首にしっかりと固定させておくことができる。
ここで、本実施形態の筒状の口部２０を、肘付近まで延長したものとしてもよい。口部２０を長くすれば、アームウオーマを別に準備する必要がない。また、袋部１０の一方の側（手の甲側）に、非通気性の部材を貼着し、保温効果を高めることや、その部材に撥水剤を塗り手先全体が雨などで濡れるのを防止することにしてもよい。
【０００８】
図２及び図３は、袋部の作用を示す図である。
本実施形態のスポーツ用手袋１を着用するときは、袋部１０に入れる手先で口部２０の開口２１を拡大すると共に、他方の手先で口部２０を押さえ、袋部１０に手先全体３０を入れる。袋部１０に手先全体３０が入ると、口部２０の開口は、元の状態に戻るため縮小する。そして、筒状の口部は手首に密着し、手首にしっかりと固定される。
図２に示すように、指袋のない単一の袋からなる袋部１０に手先全体３０を入れてグーを作ったとき、袋部１０がグーを作った手先全体３０に密着するように、球状の大きさが調整されている。
ここで、袋部１０の球状の大きさは、必ずしも袋部１０に入れた握りこぶしにぴったりのサイズである必要はなく、握りこぶしよりも少し小さ目にしておいて、ある程度、袋部１０が伸張してグーを作った手先全体３０に密着するように構成してもよい。
図３に示すように、袋部１０に入れた手先全体３０でパーを作ったとき、袋部１０は伸張して、パーを作った手先全体３０に袋部１０が密着する。そのとき、口部２０には、矢印Ａ方向の力が加わるが、筒状の口部２０の、袋部１０との境界部分２２が手首に密着しているため、口部２０と手首との摩擦力を受けると共に、手先全体３０からＡ方向とは逆向きの反力を受けるため、手首にしっかりと固定される。
【０００９】
［第２の実施形態］
第２の実施形態のスポーツ用手袋２は、第１の実施形態のスポーツ用手袋１に較べて、手首に固定する方法が相違する。しかしながら、それ以外の点は共通するので、相違点を中心にして説明する。
図４は、本発明が適用された第２の実施形態のスポーツ用手袋を示す図である。
図１に示すスポーツ用手袋２は、手先全体を入れる単一の袋部１０と、手首を入れる口部４０とを有する。袋部１０は、指袋のない単一の袋からなり、その袋部１０は、第１の実施形態と同様、伸縮自在で通気性のあるメッシュ状の繊維により、風船の如き球状に形成されている。
本実施形態の口部４０は、袋部１０と一体に形成され、開口端縁４１から袋部１０の中央に向けて、切込部分４２があり、その切込部分４２の一方の切片４３に、他方の切片４４と係合する舌片４５が延設されている。また、他方の切片４４の表面及び舌片４５の裏面（図には現れていない）にはそれぞれ面ファスナ４６が貼着されており、両方の面ファスナ４６相互を係合させれば、手首に口部４０がしっかりと固定される。
ここで、本実施形態では、切込部分４２の他方の切片４４に設けた面ファスナ４６と、舌片４５の裏面に設けた面ファスナ４６とが係合するように構成されているが、係合部材は必ずしも面ファスナに限定する必要はない。
【図面の簡単な説明】
【００１０】
【図１】本発明が適用された第１の実施形態のスポーツ用手袋を示す図である。
【図２】袋部の作用を示す図である。
【図３】袋部の作用を示す図である。
【図４】本発明が適用された第２の実施形態のスポーツ用手袋を示す図である。
【符号の説明】
【００１１】
１、２    スポーツ用手袋
１０      袋部
１１      入口部分
１５      周縁
２０、４０口部
２１      開口
２２      境界部分
３０      手先全体
４１      開口端  
４２      切込部
４３      一方の切片
４４      他方の切片
４５      舌片
４６      面ファスナ
【図１】
2008214808.tif 000003
【図２】
2008214808.tif 000004
【図３】
2008214808.tif 000005
【図４】
2008214808.tif 000006